(57)【要約】【課題】照明手段である蛍光灯等の交換にかかるメンテナンス時期を延長することができるディスプレー装置を提供する。  【解決手段】透明体からなる筒状の外側ケース２と、外側ケース２内に回転可能に装設され所望の模様或いは意匠が施された回転体３と、回転体３を回転駆動する電動モータ等の駆動手段５と、回転体３をその内側或いは外側から照射する蛍光灯等の照明手段９ａ、９ｂとを備えたディスプレー装置１Ａであって、照明手段９ａ、９ｂを複数個設けるとともに、照明手段９ａ、９ｂの電源回路１１ａ、１１ｂ中に照明手段９ａ、９ｂをオン、オフする切替えスイッチ１２を組込み、切替えスイッチ１２により複数個の照明手段９ａ、９ｂに対するオン、オフ動作を切替え可能に構成とする。【選択図】  図５
2009109565.tif 000002
【特許請求の範囲】
【請求項１】
透明体からなる筒状の外側ケースと、この外側ケース内に回転可能に装設され所望の模様或いは意匠が施された回転体と、この回転体を回転駆動する電動モータ等の駆動手段と、前記回転体をその内側或いは外側から照射する蛍光灯等の照明手段とを備えたディスプレー装置であって、前記照明手段を複数個設けるとともに、この照明手段の電源回路中に該照明手段をオン、オフする切替えスイッチを組込み、該切替えスイッチにより前記複数個の照明手段に対するオン、オフ動作を切替え可能に構成したことを特徴とするディスプレー装置。
【請求項２】
請求項１記載のディスプレー装置であって、前記複数個の照明手段は、それぞれ異なる色の照明であることを特徴とするディスプレー装置。
【発明の詳細な説明】
【技術分野】
【０００１】
本発明は、店頭等に設置されてその店の広告、案内等をなす、とくに理髪店、美容店において使用されるサインポール等のディスプレー装置に関するものである。
【背景技術】
【０００２】
一般に、この種のサインポール等のディスプレー装置においては、透明の合成樹脂板からなる筒状の外側ケース内に種々の模様或いは意匠が施された回転体を設け、この回転体の内部或いは回転体と外側ケースとの間に照明手段である比較的長い蛍光灯等を配備して該回転体に対して内側或いは外側から照明を当てるように構成されている（特許文献１参照）。
【特許文献１】特許第３１６５０６２号
【発明の開示】
【発明が解決しようとする課題】
【０００３】
しかしながら、上記したディスプレー装置にあっては、外側ケースに対して照明手段が回転体とともに組付けられ、さらに、外側ケースの上部には回転体の回転を支承する支持構造及び上部カバー部材等が組付けられるとともに、該外側ケースの下部には回転体を回転駆動する電動モータ及びこの電動モータからの回転を回転体に伝達する連結手段等が組付けられていることから、照明手段である蛍光灯等を交換する場合、回転体の内部或いは回転体と外側ケースとの間に配備された照明手段である蛍光灯等を取外す作業が必要となり、その取外し作業はいちいち外側ケースの上部における上部カバー部材や支持構造の組付けを分解して行なわなければならず、相当の経験と時間及び労力を要し、煩わしい作業となっている等の問題点を生起していた。とくに、上記ディスプレー装置が店頭の高所に設置されている場合には、作業環境の悪化等、上記した問題点が顕著となって、メンテナンスにおいて即応できない問題点を生起していた。
そこで、本発明は、上記した従来の問題点に鑑み、とくに照明手段である蛍光灯等の交換にかかるメンテナンス時期を延長することができるディスプレー装置を提供することを課題とする。
また、他の課題は、看者に対する照明手段による表示の多様化を図ることができるディスプレー装置を提供する。
【課題を解決するための手段】
【０００４】
本発明の上記した課題は、以下の請求項記載の発明により解決される。
すなわち、請求項１記載の発明は、透明体からなる筒状の外側ケースと、この外側ケース内に回転可能に装設され所望の模様或いは意匠が施された回転体と、この回転体を回転駆動する電動モータ等の駆動手段と、前記回転体をその内側或いは外側から照射する蛍光灯等の照明手段とを備えたディスプレー装置であって、前記照明手段を複数個設けるとともに、この照明手段の電源回路中に該照明手段をオン、オフする切替えスイッチを組込み、該切替えスイッチにより前記複数個の照明手段に対するオン、オフ動作を切替え可能に構成したことを要旨とする。
この構成によれば、複数個の照明手段において、一つの照明手段が使用不能(切れた状態)になった場合でも、該使用不能となった照明手段をすぐさま交換することを要することなく、切替えスイッチを切替えて他の照明手段をそのまま使用することができるものである。
【０００５】
請求項２記載の発明は、請求項１記載のディスプレー装置であって、前記複数個の照明手段は、それぞれ異なる色の照明であることを要旨とする。
この構成によれば、それぞれ異なる色の照明手段を切替えスイッチにより切替えてオン、オフ動作することによって、看者に対する照明手段による表示の多様化を図ることができるものである。
【発明の効果】
【０００６】
請求項１記載の発明によれば、一つの照明手段が使用不能(切れた状態)になった場合でも、該使用不能となった照明手段をすぐさま交換する作業を要することなく、切替えスイッチを切替えて他の照明手段をそのまま使用することができ、とくに照明手段である蛍光灯等の交換にかかるメンテナンス時期を延長することができる。
【０００７】
請求項２記載の発明によれば、請求項１の効果に加えて、看者に対する照明手段によるディスプレー装置としての表示の多様化を図ることができる。
【発明を実施するための最良の形態】
【０００８】
次に、本発明を実施するための最良の形態について、実施例にしたがって説明する。
（実施例）
【０００９】
ディスプレー装置として、例えば、理髪店、美容店において使用されるサインポール１Ａについて説明する。
この  サインポール１Ａは、図１、図２に示すように、透明なアクリル板等の合成樹脂又はガラス等からなる外側ケース２は所望の径の長尺の円筒状に形成され、その上下端部が開放されており、外周の一部（後述する上下部のカバー部材）にはサインポール１Ａ全体を理髪店、美容店に設置するための取付けブラケット１８が装設されている。
なお、この実施例においては、前記の取付けブラケット１８により、理髪店、美容店における壁等への取付けに対応する形態としたが、外側ケース２の下部の基台部（図示しない）を設けて据え置き形態とすることもできる。
【００１０】
前記外側ケース２内には、該外側ケース２より小径の円筒状の回転体３が配設され、その外面には、既存の青白帯状模様或いは赤白帯状模様或いは新たな適宜の模様、意匠が連続状に施されている。そして、この回転体３は、その下端支持板３ａの中心部に設けた連結筒部４が後述する電動モータ５のモータ軸５ａと連結され、また上端支持板３ｂの中心部に設けた支持筒部６が後述する支持軸７に対し回転可能に支承されていることによって前記外側ケース２内において該外側ケース２とほぼ同一軸心で積極回転可能に支持される構成となっている。
【００１１】
前記電動モータ５は、前記外側ケース２の開放された下端部に設けた下端支持板２ａに装設されおり、その上向きに延出されたモータ軸５ａには前記回転体３の連結筒部４が嵌合固定されている。
【００１２】
前記支持軸７は、その下端部が前記モータ軸５ａの軸端に対し調心型の軸受手段８を介して回転可能に支承され、上端部が前記回転体３の支持筒部６を回転可能に支持するように嵌挿されて前記外側ケース２の開放された上端部に設けた上端支持板２ｂに対して固定手段を介して固定されている。
【００１３】
前記回転体３内において、前記支持軸７周りには、その軸方向に沿って蛍光灯等からなる照明手段９ａ、９ｂが複数個（図では２個の場合を示す。）１８０度の位相差をもって配設されている。すなわち、支持軸７の周りに１８０度の間隔をもって蛍光灯等からなる照明手段９ａ、９ｂにおける対の取付け具１０ａ、１０ｂが設けられ、この対の取付け具１０ａ、１０ｂに対して照明手段９ａ、９ｂである蛍光灯等が取替え可能にそれぞれ設けられるものであり、この複数個の照明手段９、９は、図５に示すように、並列回路となした照明手段９ａ、９ｂの電源回路１１ａ、１１ｂ中に切替えスイッチ１２が組込まれ、この切替えスイッチ１２によって、照明手段９ａ、９ｂの電源回路１１ａ、１１ｂのそれぞれのオン、オフ動作なすとともに、その切替え動作をなすように構成されている。
【００１４】
なお、前記電源回路１１ａ、１１中のＧＬは、それぞれグロー球を示し、また、１３は安定器を示し、それぞれは外側ケース２の上部支持板３ｂ側に配置され、切替えスイッチ１２は図１に示すように外部から操作し得るように構成されている。さらに、図中１４は電源に接続されるプラグを示す。
【００１５】
そして、前記複数個の蛍光灯等からなる照明手段９ａ、９ｂは、それぞれ異なる色を照射し得るように構成することも可能である。
【００１６】
なお、図において、１５は、外側ケース２に下部開放において取外し可能に設けられた電動モータ５のカバー部材を示し、１６は、外側ケース２に上部開放において取外し可能に設けられた上部カバー部材を示す。
【００１７】
上述のように構成された本例のディスプレー装置であるサインポール１Ａにあって、通常状態にあっては、照明手段９aにおける電源回路１１を切替えスイッチ１２により、単独にオン、オフ動作して該照明手段９ａの点灯及び消灯を行なうものである。
そして、例えば、今まで使用していた一つの照明手段９ａが使用不能(切れた状態)になった場合、切替えスイッチ１２を他の照明手段９ｂの電源回路１１ｂ側に切替えることによって、今度は、その切替えられた側の照明手段９ｂを単独にオン、オフ動作するものである。これによって、使用不能となった照明手段９ａを交換することなく、そのまま別の照明手段９ｂによってサインポール１Ａ全体として使用することができ、その照明手段９ａの交換等にかかるメンテナンス時期を可及的に延長することができるものである。
【００１８】
そして、複数個の蛍光灯等からなる照明手段９ａ、９ｂは、それぞれ異なる色を照射し得るように構成することによって、例えば、必要に応じて好みに照明を当てる（ライトアップ）することが可能となるとともに、理髪店、美容店における客待ち時間の表示等にも応用でき、看者に対する照明手段９ａ、９ｂによるディスプレー装置１Ａとしての表示の多様化を図ることができるものである。
【００１９】
次に、別の実施例を図３及び図４にしたがって説明すると、この別の実施例は、上述した実施例において、回転体３内にさらに内側筒体１７を設け、その内側に複数個の照明手段９ａ、９ｂを設け、該回転体３の裏側の模様等を部分的に視認できないように遮断してディスプレー装置１Ａとしての表示に変化を与えるように構成した態様であって、その余の構成は上述した実施例と同様であり、同一の構成及び部材については図中同符号を付してその説明を省略する。
したがって、この実施例にあっても、上述した実施例と同様の作用効果を享受するものである。
【００２０】
なお、上述した両実施例にあっては、複数個の照明手段９ａ、９ｂを回転体３内（内側筒体１７内）に配設した場合について説明したが、これに限定するものではなく、回転体３の外側、すなわち、回転体３と外側ケース２との間に配設する構成であってもよい。
【００２１】
また、複数個の照明手段９ａ、９ｂにあっては、蛍光灯に限定することなく、他の照明手段であってもよい。
【００２２】
さらに、上述した両実施例にあっては、回転体３を円筒状としてその外面に種々の模様、意匠を施す態様について説明したが、これに限定するものではなく、回転体３を充実体として種々の模様、意匠を施すように構成する態様であってもよい。
【図面の簡単な説明】
【００２３】
【図１】本発明の実施例を示すサインポールの縦断面図である。
【図２】図１のＩＩ―ＩＩ線断面図である。
【図３】本発明の別の実施例を示すサインポールの縦断面図である。
【図４】図３のＩＶ―ＩＶ線断面図である。
【図５】照明手段の電源回路を示すブロック図である。
【符号の説明】
【００２４】
１  サインポール
２  外側ケース
３  回転体
５  電動モータ
９ａ、９ｂ  照明手段
１２  切替えスイッチ
【図１】
2009109565.tif 000003
【図２】
2009109565.tif 000004
【図３】
2009109565.tif 000005
【図４】
2009109565.tif 000006
【図５】
2009109565.tif 000007